(57)【要約】【課題】洗面化粧台まわりにある各種の要排水設備・機器類における排水管をキャビネットの外方から当該キャビネットに備えられている排水ヘッダーの分岐管の先端部に接続して排水処理し得るようにした洗面化粧台の提供。【解決手段】洗面化粧台Ａのキャビネット１０内に排水ヘッダー５３を備え、この排水ヘッダー５３に洗面ボール２１の排水管５１を接続して排水をなすようにしてあると共に、この排水ヘッダー５３に備えられている分岐管５３Ｂを、この分岐管５３Ｂの先端部に対してキャビネット１０の外方から管等を接続し得るように当該キャビネット１０に備えた構成としてある。【選択図】図４
2007117563.tif 000002
【特許請求の範囲】
【請求項１】
洗面化粧台のキャビネット内に排水ヘッダーを備え、この排水ヘッダーに洗面ボールの排水管を接続して排水をなすようにしてあると共に、
この排水ヘッダーに備えられている分岐管を、この分岐管の先端部に対してキャビネットの外方から管等を接続し得るように当該キャビネットに備えてあることを特徴とする洗面化粧台。
【請求項２】
分岐管の先端部に対して当該キャビネットにおける両側方から管等をそれぞれ接続し得るように一対の分岐管が排水ヘッダーに備えられていることを特徴とする請求項１に記載の洗面化粧台。
【請求項３】
前記排水ヘッダーが洗面化粧台の設置床面とキャビネット底板間に備えられていることを特徴とする請求項１又は請求項２に記載の洗面化粧台。
【発明の詳細な説明】
【技術分野】
【０００１】
この発明は、洗面化粧台まわりにおける排水設備の整備、なかんずく、洗濯排水等を洗面化粧台における排水設備を用いて簡易に処理し得るようにした洗面化粧台の提供に関する。
【背景技術】
【０００２】
近時、洗面化粧室の設備施工において大型の洗面化粧台の設置が要請される傾向にあり、また、洗面化粧室の改装等に際して大型の洗面化粧台を入れ替える要請が増加する傾向にある。
【０００３】
このように洗面化粧台の大型化に伴って、この洗面化粧台に隣接して設置される洗濯機の設置スペースが大型化する傾向にあり、この洗面化粧台に隣接して設置される洗濯機の設置スペースが初期の設置スペースと異なった設置スペースとされるなど、洗濯機の設置に種々の不具合が集約される傾向にあり、特に、洗濯機のための配管設備に対して設置洗濯機における排水管を都合良く接続し難い不具合を生ずることがあった。
【０００４】
また、一方で、洗面化粧台や、洗濯機等のそれぞれに排水設備を必要とする各種装置や機器類の設置毎に、それぞれ個別に排水設備を設備することは施工コストの面においても、また、屋内空間の有効な利用の面においても不具合の多いものであった。
【０００５】
かかる点から、特許文献１では、排水管の長さを自在に設定することによって排水位置に都合良く設置し得る排水トラップ部を備えた洗面化粧台を用意し、この洗面化粧台の排水トラップ部に対して当該洗面化粧台に隣接している洗濯機の排水管を接続させてなる洗面化粧台の排水機構が提案されている。
【特許文献１】特開平６−３３４９８
【発明の開示】
【発明が解決しようとする課題】
【０００６】
しかしながら、この洗濯機の排水管を洗面化粧台における排水トラップに案内して当該洗面化粧台における排水と共に排水口に導くようにしてある特許文献１に示される洗面化粧台の排水構造にあっては、この洗面化粧台における排水管に備えられている排水トラップの設置位置にそれぞれ対応して設置洗濯機における排水管を案内、接続処理する必要があり、それぞれの設置現場に対応して管類を用意し、かつ、各現場に対応した配管、接続等をなす必要があった。
【０００７】
かかる特許文献１に示される洗面化粧台の排水構造にあっては、例えば、前記排水トラップが洗面化粧台の内部に設置されている場合、当該洗面化粧台における側板に接続口を設け、この接続口から洗濯機の排水管を当該洗面化粧台内に導き入れて排水トラップに接続する必要があり、排水トラップの据置き位置によっては接続し難いことがあり、また、排水残としての溜まり等の不具合を生ずることのない自然な流路を備えた態様に排水管を接続、設置し難い場合があった。
【０００８】
また、かかる特許文献１に示される洗面化粧台の排水構造にあっては、例えば、前記排水トラップを当該洗面化粧台の設置スペース以外の床部に据置き、この排水トラップに向けて側板に設けた接続口から洗面化粧台の排水管を引き出して接続し、しかも、洗濯機の排水管を接続する場合、これらの排水管の接続に多くの作業手間を要し、また、自然な流路を備えた排水路の形成がし難い場合が多く、しかも、この据置き排水トラップが洗面化粧台や洗濯機まわりにおける円滑な動作や、各種設備の設置の妨げとなる不具合があった。
【０００９】
この発明は、かかる洗面化粧台の排水構造における不具合を解消し、洗面化粧台の内部に排水ヘッダーを設置し、この洗面化粧台の内部に設置されている排水ヘッダーに洗面ボールの配水管を無理なく接続し、しかも、この洗面化粧台に隣接されて設置される、例えば、洗濯機等の排水管を当該洗面化粧台に対して格別の配管施工等を要すること無く接続して、前記排水ヘッダーを介して確実に排水できるようにした洗面化粧台の提供に関する。
【課題を解決するための手段】
【００１０】
前記課題を解決するために、この発明は、洗面化粧台のキャビネット内に排水ヘッダーを備え、この排水ヘッダーに洗面ボールの排水管を接続して排水をなすようにしてあると共に、
この排水ヘッダーに備えられている分岐管を、この分岐管の先端部に対してキャビネットの外方から管等を接続し得るように当該キャビネットに備えてあることを特徴とする洗面化粧台としてある。
【００１１】
このように構成される洗面化粧台にあっては、洗面化粧台内における排水設備がすっきりとした態様で設置し得ると共に、当該洗面化粧台のキャビネットに排水設備のセンター的機能をもたせ、このキャビネットの周側方にある各種の要排水設備・機器類における各種の排水を当該キャビネット、就中、当該キャビネット内に備えられている排水ヘッダーに集めて、集中処理することができ、洗面化粧台回りにおける各種の要排水設備・機器類における個別の排水設備の設置を不要とすることができる。
【００１２】
また、このように構成される洗面化粧台にあっては、洗面化粧台まわりにおける排水設備の設置を不要として、屋内空間の有効活用、特に、床スペースの有効的な活用を可能とするものであって、洗面化粧台に隣接して洗濯機等を任意位置に設置し得る特長を有し、しかも、洗濯機用排水設備に対して洗濯機の排水管を接続用いる煩雑さを避けることができる。
【００１３】
また、前記構成に係る洗面化粧台を、分岐管の先端部に対して当該キャビネットにおける両側方から管等をそれぞれ接続し得るように一対の分岐管が排水ヘッダーに備えられている構成とした洗面化粧台では、前記特長に併せて、当該洗面化粧台の左右のいずれの側に洗濯機等の要排水設備・機器類を設置した際にあっても、当該洗濯機等の排水管を前記キャビネットの分岐管の先端部に随時接続することによって確実に排水施工をなすことができる。
【００１４】
また、前記構成に係る洗面化粧台を、前記排水ヘッダーが洗面化粧台の設置床面とキャビネットの底板間に備えられている構成とした洗面化粧台では、前記特長に併せて、排水ヘッダーが当該キャビネット底板によって隠され、各種要排水設備・機器類における排水センターとしての機能を有するにも拘わらず、一般的な洗面化粧台におけると同様に洗面化粧台の内部がスッキリとした形態とされ、物品の収納空間等として効果的に用いることができる。
【発明の効果】
【００１５】
この発明に係る洗面化粧台は、当該洗面化粧台まわりにある各種の要排水設備・機器類における排水手段をキャビネットに備えられている排水ヘッダーの分岐管の先端部に接続させることのみによって、これらの設備・機器類における排水施工を可能とし、これら設備・機器類における排水設備を容易にかつ迅速に低コストで設置することができる。
【発明を実施するための最良の形態】
【００１６】
以下、この発明を実施するための最良の形態に係る洗面化粧台Ａについて説明する。
【００１７】
なお、ここで図１は当該発明を実施するための最良の形態に係る洗面化粧台Ａ及びその周辺機器を斜め上方から見て、図２は、これを正面側から見て、図３は、これを縦断面の状態で側面側から見てそれぞれ示している。また、図４は、当該発明を実施するための最良の形態に係る洗面化粧台Ａのキャビネット１０を水平向きで断面して下方を見て、図５は、当該キャビネット１０の設置要部を縦向きで断面して側方から見て、図６は、当該キャビネット１０に備えられている各排水設備５０の部品を分離して斜め上方から見て示している。
【００１８】
この発明を実施するための最良の形態に係る洗面化粧台Ａは、洗面化粧台Ａのキャビネット１０内に排水ヘッダー５３を備え、この排水ヘッダー５３に洗面ボール２１の排水管５１を接続して排水をなすようにしてあると共に、
この排水ヘッダー５３に備えられている分岐管５３Ｂを、この分岐管５３Ｂの先端部に対してキャビネット１０の外方から管等を接続し得るように当該キャビネット１０に備えた構成としてある。
【００１９】
このように構成される洗面化粧台Ａにあっては、洗面化粧台Ａ内における排水設備がすっきりとした態様で設置し得ると共に、当該洗面化粧台Ａのキャビネット１０に排水設備のセンター的機能をもたせ、このキャビネット１０の周側方にある各種の要排水設備・機器類における各種の排水を当該キャビネット１０、就中、当該キャビネット１０内に備えられている排水ヘッダー５３に集めて、集中処理することができ、洗面化粧台Ａまわりにおける洗濯機等の各種要排水設備・機器類における個別の排水設備の設置が不要とされる。
【００２０】
なお、ここで洗面化粧台Ａは、洗面ボール２１がキャビネット１０に一体に備えられている洗面化粧台であっても、洗面ボール２１を一体に備えたカウンター２０がキャビネット１０に備えられている洗面化粧台であっても、また、洗面ボール２１を組み付けたカウンター２０がキャビネット１０に備えられている洗面化粧台等、いかなる形態の洗面化粧台であってもよく、多くの場合、化粧鏡３０や、照明器具４０等を備えて構成される。
【００２１】
また、前記排水ヘッダー５３は、洗面ボール２１の排水管５１を接続され、かつ、当該排水ヘッダー５３内に案内された排水を住宅外に送り出す排水管５２に接続して用いられると共に、キャビネット１０の外方から管等を接続し得る分岐管５３Ｂを備えたものであれば、いかなる形態からなる排水ヘッダーであってもよく、また、当該排水ヘッダー５３の設置態様に適応し得る素材であれば、いかなる素材によって構成してあってもよい。また、当該排水ヘッダー５３を一体のものとして構成してあっても、複数部材の組み付けによって構成してあってもよい。例えば、密閉されたタンク状体、両端が塞がれた筒状体、内径が大きくされた太径管状部等適宜の形状を備えたものとして構成することができる。
【００２２】
また、この排水ヘッダー５３に備えられている分岐管５３Ｂは、この分岐管５３Ｂの先端部に対してキャビネット１０の外方から洗濯機等の要排水設備・機器類の排水管等が接続し得るように当該キャビネット１０に備えられておれば、いかなる形態からなる分岐管５３Ｂであってもよく、当該排水ヘッダー５３と一体的に構成されていても、また、当該排水ヘッダー５３に適宜の管等を接続することによって構成してあっても、更に、連続して接続される複数本の管を当該排水ヘッダー５３に接続して構成してあってもよい。また、かかる分岐管５３Ｂは、その使用態様に適応し得る素材によって構成してあれば、いかなる素材によって構成してあってもよく、それぞれの設置目的に対応するように、例えば、硬質管、軟質管、半硬質管、可撓性管、蛇腹状管、フレキシブルチューブ、エラストマーホース等各種態様の管を用いることができる。
【００２３】
また、かかる分岐管５３Ｂは、前記排水ヘッダー５３に対して一本以上の任意の本数を設けた構成とすることができる。そして、かかる排水ヘッダー５３に複数本備えられた分岐管５３Ｂにあっては、その全部に対して洗濯機等の要排水設備・機器類の排水管等を接続使用するようにしてあっても、その一部の分岐管５３Ｂに排水管等を接続使用すると共に他の未使用分岐管５３Ｂの開口部を閉蓋状態にして将来の使用に備えるようにしてあってもよい。また、かかる分岐管５３Ｂは、前記排水ヘッダー５３に洗濯機等の要排水設備・機器類から生ずる排水を案内し得るものであれば、その内径が排水ヘッダー５３の内径よりも小さいものであっても、当該排水ヘッダー５３の内径よりも大きい内径の構成としてあってもよい。
【００２４】
また、この排水ヘッダー５３に備えられている分岐管５３Ｂは、当該キャビネット１０に対して、このキャビネット１０の外方から洗濯機等の要排水設備・機器類の排水管等を接続し得る態様に備えられておれば、いかなる態様に設けてあってもよく、例えば、当該排水ヘッダー５３に備えられている分岐管５３Ｂの先端部をキャビネット１０の外周側面から外方に突き出すように設け、このキャビネット１０の外周側面から外方に突き出されている分岐管５３Ｂの先端部に対して洗濯機等の要排水設備・機器類の排水管等を接続し得るようにしてあっても、また、この排水ヘッダー５３に備えられている分岐管５３Ｂの先端開口が、キャビネット１０の外周面に開口するように当該分岐管５３Ｂをキャビネット１０に設け、この開口に洗濯機等の要排水設備・機器類の排水管等を差込接続し得るようにしてあっても、また、キャビネット１０の外周面部に開口した孔から、洗濯機等の要排水設備・機器類の排水管等を当該分岐管５３Ｂの先端部に接続し得るようにしてあってもよい。
【００２５】
また、このように構成される洗面化粧台Ａにあっては、洗面化粧台Ａまわりにおける排水設備の設置を不要として、屋内空間の有効活用、特に、床スペースの有効的な活用を可能とするものであって、洗面化粧台Ａに隣接して洗濯機等の要排水設備・機器類を任意位置に設置し得る特長を有し、しかも、設置されている洗濯機用排水孔に対して洗濯機の排水管を無理に接続用いる等の煩雑さを避けることができる。
【００２６】
また、分岐管５３Ｂの先端部に対して当該キャビネット１０における両側方から管等をそれぞれ接続し得るように一対の分岐管５３Ｂが排水ヘッダー５３に備えられている構成とした洗面化粧台Ａでは、前記特長に併せて、当該洗面化粧台Ａの左右のいずれの側に洗濯機等の要排水設備・機器類を設置した際にあっても、当該洗濯機等の排水管を前記キャビネット１０の分岐管５３Ｂの先端部に随時接続することによって確実に排水施工をなすことができる。
【００２７】
また、前記構成に係る洗面化粧台Ａを、前記排水ヘッダー５３が洗面化粧台Ａの設置床面とキャビネット１０の底板１４間に備えられている構成とした洗面化粧台Ａでは、前記特長に併せて、排水ヘッダー５３が当該キャビネット１０の底板１４によって隠され、各種要排水設備・機器類における排水センターとしての機能を有するにも拘わらず、一般的な洗面化粧台Ａにおけると同様に洗面化粧台Ａの内部がスッキリとした形態とされ、物品の収納空間等として効果的に用いることができる。
【００２８】
ついで、図１〜図６に示される典型的な洗面化粧台Ａについて具体的に説明する。
【００２９】
この図１〜図６に示される洗面化粧台Ａは、洗面化粧台Ａのキャビネット１０内に排水ヘッダー５３を備え、この排水ヘッダー５３に洗面ボール２１の排水管５１を接続して排水をなすようにしてあると共に、この排水ヘッダー５３に備えられている分岐管５３Ｂを、この分岐管５３Ｂの先端部に対してキャビネット１０の外方から管等、この図示例にあっては洗濯機Ｂの排水管６８を接続し得るように当該キャビネット１０に備えた構成としてある。
【００３０】
この図示例に係る洗面化粧台Ａは、洗面ボール２１を一体に備えたカウンター２０をキャビネット１０上に備え、このカウンター２０に連続するように化粧鏡３０と照明器具４０とを備えて、化粧室等の床Ｆ上に壁Ｗに添って構成してあり、側方に洗濯機Ｂを並び設置してある。
【００３１】
かかる洗面化粧台Ａを構成するキャビネット１０は、台輪１５の上に、側板１２と背板１３と底板１４とで構成され、かつ、前面に幕板１１を備えた構成としてあり、幕板１１と台輪１５との間を扉１７によって開閉可能に閉じてあり、底板１４で上部空間１０ａと下部空間１０ｂとに区分構成してある。また、底板１４には、点検孔１４ｂが設けてあり、この点検孔１４ｂを開閉可能に閉じる点検蓋１４ａを、蝶番等で当該底板１４に回動可能に備え、取っ手孔１４ａ’をもって上方に向けて開き出し得るように構成してある。
【００３２】
また、かかるキャビネット１０における台輪１５の前面側の両側部に切欠部１６が設けてあり、この切欠部１６に分岐管５３Ｂの先端部を突き出し得るようにしてある。かかる切欠部１６は、前板１５ａと側板１５ｂと背板１５ｃとで構成されている当該台輪１５における前板１５ａと側板１５ｂの一部を取り除き、当該台輪１５の前部の両側に、切欠側板部１６ａと切欠後板部１６ｂとを備えて構成してある。
【００３３】
かかる洗面化粧台Ａを構成するカウンター２０は、手前側に見附２０ｂを、また後方、すなわち、壁Ｗに添う側にバックガード２０ａを有し、洗面ボール２１を一体に備えた構成としてあり、給水・給湯管２２ａ等に接続された混合水栓２２等の給水手段を設けてある。
【００３４】
また、前記洗面化粧台Ａに並び設けられる洗濯機Ｂは、一槽式であっても、二槽式であっても、また、自動式、全自動式等いかなるタイプの洗濯機であってもよく、乾燥手段を備えた洗濯乾燥機であってもよい。
【００３５】
かかる洗面化粧台Ａに備えられる排水設備５０は、前記洗面ボール２１の排水に用いられる排水トラップ付きの排水管５１と、この排水管５１に接続されて当該排水を受け入れる排水ヘッダー５３と、この排水ヘッダー５３に受け入れられた排水を住宅外に送り出す排水管５２と、当該排水ヘッダー５３に備えられて各要排水設備・機器類、例えば、洗濯機、各種洗い槽、スチームバス、シャワー設備等の排水を受け入れる分岐管５３Ｂとを備えた構成としてある。
【００３６】
この図示例にあっては、前記上部空間１０ａに備えられている洗面ボール２１における排水管５１を底板１４を貫通して下部空間１０ｂに案内してあり、この下部空間１０ｂに備えられる排水ヘッダー５３に接続してある。そして、この下部空間１０ｂに備えられている排水ヘッダー５３に接続される排水管５２を床Ｆを貫通して住宅外に導き出すように構成してある。
【００３７】
かかる下部空間１０ｂに備えられる排水ヘッダー５３は、ヘッダー本体部５３Ａに対して、このヘッダー本体部５３Ａに洗面ボール２１の排水を送り込む排水管５１の排水管連結管部５３Ｃと、当該排水ヘッダー５３に受け入れた排水を住宅外に送り出す排水手段としての排水管５２に接続される排水管連結管部５３Ｄと、必要とされる各分岐管５３Ｂとを備えた構成としてある。
【００３８】
この図示例に係る排水ヘッダー５３のヘッダー本体部５３Ａは、比較的内径が大きく、しかも、両端が塞がれた円筒状体としてあり、概ね横向きに設置して用い得るようにしてあり、前記排水管連結管部５３Ｃと排水管連結管部５３Ｄとを、ほぼ同一の垂直線上に位置づけるように当該排水管連結管部５３Ｃを上部側に排水管連結管部５３Ｄを下部側に当該ヘッダー本体部５３Ａに連通するように備え、また第一分岐管５３Ｂａと第二分岐管５３Ｂｂとを構成する管連結管部６２、６２を当該ヘッダー本体部５３Ａの両側に当該ヘッダー本体部５３Ａに直交する状態で当該ヘッダー本体部５３Ａに連通するように水平状態に備え、また、この第一分岐管５３Ｂａ及び第二分岐管５３Ｂｂと、前記排水管連結管部５３Ｃ、５３Ｄとの間に当該ヘッダー本体部５３Ａ内の補修・清掃等の点検用筒部５３Ｅを当該ヘッダー本体部５３Ａに連通するように備え、また、当該ヘッダー本体部５３Ａにおける一方の側端面、この図示例にあっては排水管連結管部５３Ｃ、５３Ｄの備え付け側と反対側の端面部に当該ヘッダー本体部５３Ａに連通する態様に管状をなす第三分岐管５３Ｂｃを備えた構成としてある。
【００３９】
また、このヘッダー本体部５３Ａを排水に適する態様、例えば、前記排水管連結管部５３Ｄ位置が設置排水ヘッダー５３にあって排水の流下し得る位置、すなわち、当該排水管連結管部５３Ｄが最も低い位置となるように当該ヘッダー本体部５３Ａをキャビネット１０に備え付けるようにしてあり、この図示例にあっては、支持金具７３の組み付け用のスタッドボルト７２の植設用隆起部７１を当該ヘッダー本体部５３Ａの両側部に適宜設けてある。この図示例では、当該ヘッダー本体部５３Ａの長手方向における両端部に、このヘッダー本体部５３Ａの外周面から径方向に突き出すように４個の隆起部７１を設け、この各隆起部７１にスタッドボルト７２をほぼ水平向きに植設して支持金具７３による当該排水ヘッダー５３のキャビネット１０への組み付けに用い得るようにしてある。
【００４０】
このキャビネット１０における下部空間１０ｂに横向きにセットされるヘッダー本体部５３Ａに対して、床Ｆを貫通して備えられている排水管５２と洗面ボール２１の排水管５１が接続されている。このヘッダー本体部５３Ａと排水管５１の接続は、この図示例にあっては、排水管５１に備えられているユニオンナット５６のねじ部５６ａを排水管連結管部５３Ｃのねじ部５３Ｃａにねじ入れ、排水管５１の外鍔５１ａでパッキン５７を排水管連結管部５３Ｃに圧着、水密状態に螺着してある。また、ヘッダー本体部５３Ａと排水管５２の接続は、この図示例にあっては、排水管５２に備えられているユニオンナット５８のねじ部５８ａを排水管連結管部５３Ｄのねじ部５３Ｄａにねじ入れ、排水管５２の外鍔５２ａでパッキン５９を排水管連結管部５３Ｄに圧着、水密状態に螺着してある。
【００４１】
ついで、分岐管５３Ｂとして当該排水ヘッダー５３に備えられる第一分岐管５３Ｂａと第二分岐管５３Ｂｂは、前記管連結管部６２に管６３を接続して構成するようにしてある。この管６３は、その一端側に外鍔６３ａを備え、また他端側にねじ部６３ｂを備えると共にユニオンナット６４によって前記管連結管部６２に螺着し得るようにしてあり、この図示例にあっては、管６３に備えられているユニオンナット６４のねじ部６４ａを管連結管部６２のねじ部６２ａにねじ入れて、当該管６３の外鍔６３ａでパッキン６５を管連結管部６２に圧着、水密状態に螺着してある。
【００４２】
かかる第一分岐管５３Ｂａ及び第二分岐管５３Ｂｂは、その先端部が、前記キャビネット１０における外周面から外方に突き出すように当該キャビネット１０に組み付けてある。この図示例にあっては当該キャビネット１０の前部側の両側部に備えられている切欠部１６に当該第一分岐管５３Ｂａと第二分岐管５３Ｂｂの先端部が位置するように当該キャビネット１０に組み付けてあって、より具体的には、台輪１５の切欠側板部１６ａに開設されている側部孔１８から外方に突き出し、かつ、接続対象とされる管等との接続部分が当該切欠部１６内に位置するようにしてあり、この切欠部１６の床面に設置される受け皿７７によって前記接続部から水滴等が生じた際に受け得るようにしてある。
【００４３】
ついで、ヘッダー本体部５３Ａに備えられる第三分岐管５３Ｂｃは、ヘッダー本体部５３Ａの長手側の一方側端面から、当該ヘッダー本体部５３Ａよりも細い内径を備えた円管状体として構成されており、その先端部をキャビネット１０の外周面から外方に突き出した形態に設けてある。この図示例にあっては、キャビネット１０を構成する扉１７より後方に位置づけられている台輪１５の前板１５ａに備えられている前部孔１９から、この台輪１５の前板１５ａとキャビネット１０の底板１４とが構成する空間内において、この第三分岐管５３Ｂｃを接続対象とされる管等に接続し得るようにしてあり、この図示例にあっては、この台輪１５の前板１５ａと底板１４とが構成する空間の床面に設置される受け皿７７によって前記接続部から水滴等が生じた際に受け得るようにしてある。
【００４４】
この第三分岐管５３Ｂｃは、その管の先端部の外周にねじ部５３Ｂｃ’が設けてあり、適宜の排水管を接続して用い得るようにしてあり、これを用いない際にはパッキン５４を介装して水密状態にねじ部５５ａを備えたキャップ５５を螺着して閉蓋状態にしてある。なお、５５ｂは当該キャップ５５のねじ回し操作用の摘子を示している。
【００４５】
この第一分岐管５３Ｂａ及び第二分岐管５３Ｂｂと前記排水管５１及び排水管５２との間に備えられている点検用筒部５３Ｅは、当該点検用筒部５３Ｅからヘッダー本体部５３Ａ内部を確認して、補修・清掃等をなし得るように構成してあり、パッキン６０を介装して点検用筒部５３Ｅの外周に設けられているねじ部５３Ｅａに水密状態にねじ部６１ａを備えたキャップ６１を螺着して閉蓋状態にしてある。なお、６１ｂは、当該点検用筒部５３Ｅのキャップ６１の螺着脱に用いられる摘子を示している。
【００４６】
かかる点検用筒部５３Ｅは、キャビネット１０の扉１７を開いて、底板１４における点検用蓋１４ａを開きだした際に、都合良く見得る位置に設けるようにしてある。
【００４７】
かかるヘッダー本体部５３Ａを備えた排水ヘッダー５３は、キャビネット１０の底板１４の下方空間、すなわち、下部空間１０ｂ内に、この図示例にあっては支持金具７３によって床Ｆに固定して、当該キャビネット１０内に備えられるようにしてある。
【００４８】
かかる支持手段は、Ｌ字状に屈曲されている支持金具７３における水平板部をビス７５で床Ｆに止め付けてあり、垂直板部にある縦向きのスライド孔７３ａに前記スタッドボルト７２が挿通され、このスタッドボルト７２の当該スライド孔７３ａからの突き出し部に座金７５を介装して蝶ナット７４が螺挿されており、この蝶ナット７４の締め込みによって、組み付け姿勢調整可能にヘッダー本体部５３Ａをキャビネット１０内に備えるようにしてある。
【００４９】
このように備えられる排水ヘッダー５３における第一分岐管５３Ｂａ及び第二分岐管５３Ｂｂ並びに第三分岐管５３Ｂｃに対して、各種要排水設備・機器類、例えば、洗濯機、各種洗い槽、スチームバス、シャワー設備等の排水管等を、当該洗面化粧台Ａの外方から接続して用いることができる。
【００５０】
また、この図示例にあっては、洗面化粧台Ａの左右のいずれの側に洗濯機Ｂが設置された場合であっても、当該設置洗濯機Ｂの排水管６８を、この設置洗濯機Ｂの側に先端部を突き出して当該キャビネット１０に備えられている前記第一分岐管５３Ｂａか第二分岐管５３Ｂｂのいずれかに対して接続することができる。なお、洗濯機Ｂは、いかなる形態の洗濯機であっても設置可能であることから詳細は省略して図示してあり、７８は当該洗濯機Ｂに対する給水栓を示している。
【００５１】
また、この図示例に係る排水ヘッダー５３にあっては、第一分岐管５３Ｂａに対して洗濯機Ｂの排水管６８を、この排水管６８の外鍔６８ａが介装されたパッキン７０を管６３に水密的に圧着するようにユニオンナット６９のねじ部６９ａを管６３のねじ部６３ａに螺着・接続してある。また、用いられていない第二分岐管５３Ｂｂには、パッキン６７を介装して水密状態にねじ部６６ａを備えたキャップ６６を螺着して閉蓋状態にしてあり、必要に応じて、ねじ部６３ｂを用いて適宜排水管を接続使用し得るようにしてある。なお、６６ｂは当該キャップ６６のねじ回し操作用の摘子を示している。
【図面の簡単な説明】
【００５２】
【図１】典型的な洗面化粧台の使用状態を示す斜視図
【図２】同正面図
【図３】同縦断面図
【図４】同洗面化粧台の平断面図
【図５】同洗面化粧台の使用状態の要部縦断面図
【図６】排水設備の主要部品の分離斜視図
【符号の説明】
【００５３】
Ａ  洗面化粧台
１０  キャビネット
２１  洗面ボール
５１  排水管
５３  排水ヘッダー
５３Ｂ  分岐管
【図１】
2007117563.tif 000003
【図２】
2007117563.tif 000004
【図３】
2007117563.tif 000005
【図４】
2007117563.tif 000006
【図５】
2007117563.tif 000007
【図６】
2007117563.tif 000008